(57)【要約】      （修正有）【課題】耐久性、弾力性に優れ、かつ地上又は地中に放置された場合でも分解されやすいゴルフティーを提供する。【解決手段】ゴルフボールを載置するゴルフティー１であって、ポリ乳酸系樹脂を含む樹脂製であり、ゴルフボールを載置するための載置部３と、地面に差し込む差込部７と、載置部３と差込部７との間に配置された軸形状の連結部５とを備える。さらに、連結部５には、外周面に形成され、差込部７が地面に埋設されたときに、載置部３に載置されたゴルフボールの地面からの高さの目安となる目安部１５，１７が形成されている。【選択図】図１
0003218640.tif 000002
【実用新案登録請求の範囲】
【請求項１】
ゴルフボールを載置するゴルフティーであって、
ポリ乳酸系樹脂を含む樹脂製であり、
ゴルフボールを載置するための載置部と、
地面に差し込む差込部と、
載置部と差込部との間に配置された軸形状の連結部と、を備え、
連結部には、外周面に形成され、差込部が地面に埋設されたときに、載置部に載置されたゴルフボールの地面からの高さの目安となる目安部が形成されていることを特徴とするゴルフティー。
【考案の詳細な説明】
【技術分野】
【０００１】  本考案は、ゴルフティーに関する。
【背景技術】
【０００２】  ゴルフでティーショットをする際、通常、ゴルフボールをティーに載せた状態で、このゴルフボールをゴルフクラブで打つ。従来の一般的なゴルフ用ティーは、プラスチック製のものが多く使用されている。【０００３】  また、特許文献１には、ティーショットの際に、ゴルフティーが飛んでしまっても、容易に発見できるように、蛍光塗料を塗布したゴルフ用ティーが開示されている。
【先行技術文献】
【特許文献】
【０００４】
【特許文献１】実開平０４−０３５４６７号公報
【考案の概要】
【考案が解決しようとする課題】
【０００５】  ゴルフでティーショットをする際に、ティーがクラブヘッドの打撃によりボールと一緒に飛んでしまい、地上或いは地中に放置されたままになることがある。従来のプラスチック製から成るティーでは、分解され難いために、長期間ゴミとして放置され、芝生等の成長の妨げの一因にもなっていた。
引用文献１に記載のゴルフ用ティーでは、容易に発見できるように、ゴルフ用ティーにティーショットした際に、ゴルフティーが飛んでしまっても、容易に発見できるように、ゴルフ用ティーに蛍光塗料が塗布されている。【０００６】  近年、環境保全の観点から、生分解性材料を用いることが検討されている。生分解性材料としては、例えば、植物由来のプラスチック材料としてポリ乳酸（ＰＬＡ樹脂）が知られている。しかし、ポリ乳酸材料は、従来のプラスチック材料に比べて耐久性や機械的強度の観点で弱く、特にゴルフのティーショットをする際、大きな打撃力を受けるティーを構成する材料としては、使用されてこなかった。【０００７】  本考案は、上記事情に鑑みてなされたものであり、ポリ乳酸（ＰＬＡ樹脂）を含むプラスチック材料を用いたゴルフティーであって、耐久性、弾力性に優れ、かつ地上又は地中に放置された場合でも分解されやすいゴルフティーを提供することを目的とする。
【課題を解決するための手段】
【０００８】  本考案の一実施形態に係るゴルフティーは、ゴルフボールを載置するゴルフティーであって、ポリ乳酸系樹脂を含む樹脂製であり、ゴルフボールを載置するための載置部と、地面に差し込む差込部と、載置部と差込部との間に配置された軸形状の連結部と、を備え、連結部には、外周面に形成され、差込部が地面に埋設されたときに、載置部に載置されたゴルフボールの地面からの高さの目安となる目安部が形成されていることを特徴とする。
【考案の効果】
【０００９】  本考案は、以上のように構成されることにより、耐久性、弾力性に優れ、かつ地上又は地中に放置された場合でも分解されやすいゴルフティーを提供することができる。
【図面の簡単な説明】
【００１０】
【図１】図１は、本考案の一実施形態に係るゴルフティーの形状を示す斜視図である。
【図２】図２は、本考案の一実施形態に係るゴルフティーの形状を示す側面図である。
【図３】図３は、図１のゴルフティーのＩＩＩ−ＩＩＩ線に沿った断面図である。
【図４】図４は、図１のゴルフティーの使用状態の一例を示す図である。
【考案を実施するための形態】
【００１１】  本考案の実施形態を、図１乃至図４を参照して説明する。図１は、本考案の一実施形態に係るゴルフティーの形状を示す斜視図である。図２は、本考案の一実施形態に係るゴルフティーの形状を示す側面図である。図３は、図１のゴルフティーのＩＩＩ−ＩＩＩ線に沿った断面図である。図４は、図１のゴルフティーの使用状態の一例を示す図である。
【００１２】  ゴルフティー１は、ゴルフボールを載置するための載置部３と、地面に差し込む差込部７と、載置部３と差込部７との間に配置され、載置部３と差込部７とを接続する連結部５とを有する。
【００１３】  載置部３は、凹部１１を有し、当該凹部１１にゴルフボールをセットすることで、ゴルフボールが支持される。凹部１１は、例えばお椀型の形状を有する。載置部３は、例えば、平面視で円形を有すると共に、連結部５及び差込部７よりも大きな外形を有することができる。また、図１及び図２に示すように、載置部３は、正面視で、載置部３の上端部９から連結部５の方向にいくに従って幅が狭くなるように形成されている。載置部３の外形（直径）は、約１２ｍｍ程度である。載置部３の内径（直径）は、約８ｍｍ程度である。凹部１１の深さは、約５ｍｍ程度である。また、連結部５の外形は、約５ｍｍ程度である。
【００１４】  連結部５は、例えば、円柱形状を有する。連結部５の一端には、載置部３が接続されており、連結部５の他端には、差込部７が接続されている。連結部５には、ゴルフティー１の差込部７が地面に埋設されたときに、その先端部１３から地面表層までの深さが分かるように、第１の目安部１５及び第２の目安部１７を有することができる。目安部（１５，１７）を有することにより、ゴルフティー１の地面への差し込み深さを容易に知ることができると共に、差し込み深さを調整することができる。これにより、ゴルフティー１の載置部、或いは載置部に載置したゴルフボールの地面からの高さを調整することができるので、ティーショットをする際に、安定して容易にゴルフボールを打つことが可能となる。
【００１５】  図１に示すように、第１の目安部１５は、載置部３の先端から所定距離Ｌのところに設けられる。また、第１の目安部１５と第２の目安部１７とは間隔Ｄだけ離れて設けられる。距離Ｌは、例えば、３５．０〜４５．０ｍｍであることができる。間隔Ｄは、例えば、７．５〜１２．５ｍｍであることができる。本実施形態では、距離Ｌは、４０．０ｍｍであり、間隔Ｄは、１０．０ｍｍである。第１の目安部１５と第２の目安部１７とは、図２及び図３に示すように、例えば、連結部５の表面からわずかに突き出た凸部形状を有することができる。さらに、目安部（１５，１７）は、所定の幅を有する帯状（ベルト状）の形状を有していてもよい。帯状の形状を有することにより、ゴルフティー１の強度を増加させることができる。これにより、ゴルフでティーショットをする際に、ゴルフティーがクラブヘッドの打撃により大きな衝撃を受けた場合でも、破損したり折れたりすることを防止することができる。
【００１６】或いは、第１の目安部１５と第２の目安部１７とは、例えば、連結部５の表面からわずかに窪んだ溝形状を有していてもよい。また、本実施形態では、第１の目安部１５と第２の目安部１７を有するけれども、第１の目安部１５を１個のみ有してもよく、また、３個以上の目安部を有していてもよい。また、目安部に着色を施してもよい。着色することによりティーアップ時のゴルフボールの高さ位置を容易に視認することが可能である。
【００１７】  差込部７は、地面に容易に差し込み可能なように、先端がテーパー状に先細りの形状を有することができる。
【００１８】  ゴルフティー１は、ポリ乳酸系樹脂（ＰＬＡ樹脂）を含む樹脂製部材からなることができる。例えば、ＡＢＳ樹脂等をベースとして、ポリ乳酸系樹脂を重量比２０％〜５０％含むことができる。一般的に、ポリ乳酸系樹脂は、トウモロコシやジャガイモなどに含まれるデンプンなどの植物由来のプラスチック素材として知られているが、工業用のプラスチック素材として幅広く使用されているＡＢＳ樹脂等に比べて、機械的強度が弱く、特に、ティーショットをする際、大きな打撃力を受けるゴルフ用のティーを構成する材料としては、使用されてこなかった。本考案に係るゴルフティー１では、ＡＢＳ樹脂に含まれるポリ乳酸系樹脂の組成比を調整することで、ティーショットの際に受ける打撃力にも耐える機械的強度を有するゴルフティーを得ることができる。具体的には、考案者の知見によれば、ＡＢＳ樹脂に含まれるポリ乳酸系樹脂の組成比を、重量比５０％以下とすることで、十分な機械的強度を確保することができることが分かった。
【００１９】また、ＡＢＳ樹脂にポリ乳酸系樹脂を混入させることで、材料の機械的強度が低下する一方で、適当な弾性力をゴルフティーに付与することができることも新たに分かってきた。ゴルフティーの弾性特性が向上することで、曲げ強度も向上させることができる。さらに、弾性特性が向上することで、ゴルフでティーショットをする際に、ゴルフボールの位置が安定して保持されやすくなり、安定したティーショットが可能となる。また、本実施形態のゴルフティーを用いてティーショットを行ったときに、ゴルフボールがゴルフクラブの先端にあるヘッド部分のフェイス面に当たったときの打感が良く、クラブヘッドがスムーズに抜けてくれる。このため、ボールを遠くへ飛ばすことができる。
【００２０】  一方、ＡＢＳ樹脂に含まれるポリ乳酸系樹脂の組成比が小さくなった場合、所定組成以上のポリ乳酸系樹脂が含まれないと、ポリ乳酸系樹脂の特性である自然分解能が十分発揮されず、分解されずに残留したままとなることも明らかになってきた。例えば、ＡＢＳ樹脂に含まれるポリ乳酸系樹脂の組成比が、重量比２０％未満では、ポリ乳酸系樹脂の自然分解能が十分に発揮できない。
【００２１】  次に、ゴルフティー１の製造方法について、以下に説明する。まず、ポリ乳酸系樹脂とＡＢＳ樹脂とを混合したポリマーアロイから成るバイオマスプラスチック樹脂を準備する。当該バイオマスプラスチック樹脂には、例えば、ＡＢＳ樹脂等をベースとして、ポリ乳酸系樹脂が重量比で約２０％〜５０％の範囲で含まれる。このバイオマスプラスチック樹脂を真空状態、又は熱風乾燥（乾燥温度５０℃〜１２０℃）により乾燥させる。この乾燥工程の時間は、３時間〜１２時間程度である。その後、射出成型機を用いて、バイオマスプラスチック樹脂を１８０℃から２５０℃位の温度で溶かしながら、圧力をかけて金型に流し込み成形させる。この時の金型温度は、４０℃〜８０℃程度に設定される。
【符号の説明】
【００２２】１  ゴルフティー
３  載置部
５  連結部５
７  差込部７
１１  凹部
１３  先端部
１５  第１の目安部
１７  第２の目安部
２０  地面
３０  ゴルフボール
【図１】
0003218640.tif 000003
【図２】
0003218640.tif 000004
【図３】
0003218640.tif 000005
【図４】
0003218640.tif 000006